【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  下記のものを有する拡張可能なキーボード：
複数の第１のキー列およびプラットフォームを備える中央キーボード・アセンブリ；
複数の第２のキー列を含む第１のセグメントおよび第１のウィングを備える第１のアセンブリ；
第１のウィングの片側およびプラットフォームの片側に沿って、第１のウィングが実質的にプラットフォーム上に乗る閉鎖位置および第１のウィングがプラットフォームの延長部を提供する開放位置に延びる第１の軸の周りでピボット回転することができる、第１の軸の周りにプラットフォームの片側から片側に沿ってピボット回転可能に接続された第１のウィング；
第１の軸を露出させ、第１のウィングを第１の軸の周りでピボット回転できるようにする第１の位置と、第１の軸を覆い、第１のウィングが第１の軸の周りでピボット回転するのを実質的に妨げる第２の位置とに移動可能である、第２のキー列を含む第１のセグメントであって、中央キーボード・アセンブリ上の第１のキー列の一端が、第２のセグメント上の第２のキー列の一端と噛み合う、第１のウィングにスライド可能に接続された第１のセグメント。
【請求項２】  第１のセグメントを第１のウィングに対して、少なくとも第１の位置および第２の位置に移動させるための、第１のアセンブリ内の第１の作動機構をさらに有する、請求項１記載の拡張可能なキーボード。
【請求項３】  第１の作動機構が、第１のキーボード・ベースを移動させるために使用されるレバーを有する、請求項２記載の拡張可能なキーボード。
【請求項４】  第１のアセンブリに第１のトラックをさらに有し、第１のキーボード・ベースが第１のトラックに乗るように取り付けられた、請求項１記載の拡張可能なキーボード。
【請求項５】  下記のものをさらに有する、請求項１記載の拡張可能なキーボード；
プラットフォームに接続された１つまたは複数の中央電気コネクタ；および
第１のアセンブリに接続された１つまたは複数の構成要素に結合され、第１のセグメントが、第１のウィングに沿って実質的に一方向に第２の位置へスライドしたときに中央電気コネクタの１つに結合される、第１のアセンブリに接続された第１の側面電気コネクタ。
【請求項６】  第１のアセンブリに接続された１つまたは複数の構成要素に結合されており、第１のセグメントが第１の位置にあり第１のウィングが閉鎖位置に対してピボット回転したときに中央電気コネクタの１つに結合される、第１のアセンブリに接続された第１の頂部電気コネクタをさらに有する、請求項５記載の拡張可能なキーボード。
【請求項７】  第１のアセンブリの構成要素が、第１のセグメント上のキーである、請求項６記載の拡張可能なキーボード。
【請求項８】  第１のアセンブリの構成要素が、第１のセグメント上のキーおよび第１のウィング上で電子カードを受容するためのスロットである、請求項６記載の拡張可能なキーボード。
【請求項９】  各シャッタが、プラットフォームに接続されており、１つまたは複数の中央電気コネクタを覆う位置と露出させる位置との間で移動可能である、１つまたは複数のシャッタをさらに有する、請求項６記載の拡張可能なキーボード。
【請求項１０】  第１のセグメントが第１の位置にあるときに第１のウィングの窓を通して露出され、第１のセグメントが第２の位置にあるときに第１のトラックの下方に隠される、第１のウィングにおける第１のセグメント上の第１のウィング電気コネクタをさらに有する、請求項６記載の拡張可能なキーボード。
【請求項１１】 下記のものをさらに有する、請求項１に記載の拡張可能なキーボード：
複数の第３のキー列を含む第２のセグメントおよび第２のウィングを備える第２のアセンブリ；
第２のウィングの片側およびプラットフォームの別の側に沿って、第２のウィングが実質的にプラットフォーム上に乗る閉鎖位置および第２のウィングがプラットフォームの延長部を提供する開放位置に延びる第２の軸の周りでピボット回転することができる、第２の軸の周りにプラットフォームの片側から片側に沿ってピボット回転可能に接続された第２のウィング；
第２の軸を露出させ、第２のウィングを第２の軸の周りでピボット回転できるようにする第１の位置と、第２の軸を覆い、第２のウィングが第２の軸の周りでピボット回転するのを実質的に妨げる第２の位置とに移動可能である、第３のキー列を含む第２のセグメントであって、中央キーボード・アセンブリ上の第１のキー列の別の端部が、第２のセグメント上の第３のキー列の一端と噛み合う、第２のウィングにスライド可能に接続された第２のセグメント。
【請求項１２】  下記のものをさらに有する、請求項１１記載の拡張可能なキーボード：
第１のセグメントを第１のウィングに対して、少なくとも第１の位置および第２の位置に移動させるための、第１のアセンブリ内の第１の作動機構；ならびに
第２のセグメントを第２のウィングに対して、少なくとも第１の位置および第２の位置に移動させるための、第２のアセンブリ内の第２の作動機構。
【請求項１３】  第１の作動機構が、第１のセグメントを第２の位置へ移動させるために使用される第１のレバーを備え、第２の作動機構が、第２のセグメントを移動させるために使用される第２のレバーを備える、請求項１２記載の拡張可能なキーボード。
【請求項１４】  下記のものをさらに有する、請求項１１記載の拡張可能なキーボード：
第１のセグメントが、第１のウィングのトラックに乗るように取り付けられた、第１のウィングにおける第１のトラック；および
第２のセグメントが、第２のウィングのトラックに乗るように取り付けられた、第２のウィングにおける第２のトラック。
【請求項１５】  下記のものをさらに有する、請求項１１記載の拡張可能なキーボード：
プラットフォームに接続された１つまたは複数の中央電気コネクタ；
第１のアセンブリに接続された１つまたは複数の構成要素に結合され、第１のセグメントが第１のウィングに沿って第２の位置へスライドしたときに、中央電気コネクタの１つに結合される、第１のアセンブリに接続された第１の側面電気コネクタ；および
第２のアセンブリに接続された１つまたは複数の構成要素に結合され、第２のセグメントが第２のウィングに沿って実質的に一方向に第２の位置へスライドしたときに中央電気コネクタの１つに結合される、第２のアセンブリに接続された第２の側面電気コネクタ。
【請求項１６】  下記のものをさらに有する、請求項１５記載の拡張可能なキーボード：
第１のアセンブリに接続された１つまたは複数の構成要素に結合されており、第１のセグメントが第１の位置にあり第１のウィングが閉鎖位置に対してピボット回転したときに中央電気コネクタの１つに結合される、第１のアセンブリに接続された第１の頂部電気コネクタ；および
第２のアセンブリに接続された１つまたは複数の構成要素に結合されており、第１の頂部電気コネクタが、第２のセグメントが第１の位置にあり第２のウィングが閉鎖位置に対してピボット回転したときに中央電気コネクタの１つに結合される、第２のアセンブリに接続された第２の頂部電気コネクタ。
【請求項１７】  プラットフォームに接続されており、中央電気コネクタを覆う位置と露出させる位置との間で移動することができるシャッタをさらに有する、請求項１１記載の拡張可能なキーボード。
【請求項１８】  下記のものをさらに有する、請求項１１記載の拡張可能なキーボード：
第１のウィングにおける第１のセグメントが第１の位置にあるときに第１のウィングの窓を通して露出され、第１のセグメントが第２の位置にあるときに第１のトラックの下方に隠される、第１のウィングにおける第１のセグメント上の第１のウィング電気コネクタ；および
第２のウィングにおける第２のセグメントが第１の位置にあるときに第２のウィングの窓を通して露出され、第２のセグメントが第２の位置にあるときに第２のトラックの下方に隠される、第２のウィングにおける第２のセグメント上の第２のウィング電気コネクタ。
【請求項１９】  下記のものを有するキーボード：
複数の第１のキー列、１つまたは複数の中央電気コネクタ、およびプラットフォームを備える中央アセンブリ；ならびに
複数の第２のキー列を含む第１のセグメント、第１のウィング、第１の頂部電気コネクタ、および第１の側面電気コネクタを備え、第２の列のキーが第１の頂部および側面電気コネクタに結合された第１のアセンブリ；
プラットフォームの第１の軸の周りにピボット回転可能に接続された第１のウィング；
第１の軸を露出させ、第１のウィングを第１の軸の周りでピボット回転できるようにする第１の位置と、第１の軸を覆い、第１のウィングが第１の軸の周りでピボット回転するのを実質的に妨げる第２の位置とに移動することができる、第２のキー列を含む第１のセグメントであって、中央キーボード・アセンブリ上の第１のキー列の一端が、第２のセグメント上の第２のキー列の一端と噛み合う、第１のウィングにスライド可能に接続された第１のセグメント；
第１のセグメントが第１の位置になり第１のウィングが閉鎖位置に対してピボット回転したときに中央電気コネクタの１つに結合され、第１のセグメントが第２の位置にあり第１のウィングが開放位置に対してピボット回転したときに別の１つの中央電気コネクタに結合される、第１のアセンブリに接続された第１の頂部電気コネクタ。
【請求項２０】  下記のものをさらに有する、請求項１９記載のキーボード：
複数の第３のキー列を含む第２のセグメント、第２のウィング、第２の頂部電気コネクタ、および第２の側面電気コネクタを備え、第３の列のキーが第２の頂部および側面電気コネクタに結合された、第２のアセンブリ；
プラットフォームの第２の軸の周りにピボット回転可能に接続された第２のウィング；
第２の軸を露出させ、第２のウィングを第２の軸の周りでピボット回転できるようにする第１の位置と、第２の軸を覆い、第２のウィングが第２の軸の周りでピボット回転するのを実質的に妨げる第２の位置とに移動することができる、第３のキー列を含む第２のセグメントであって、中央キーボード・アセンブリ上の第１のキー列の別の端部が、第２のセグメント上の第３のキー列の一端と噛み合う、第２のウィングにスライド可能に接続された第２のセグメント；ならびに
第２のセグメントが第１の位置にあり第２のウィングが閉鎖位置に対してピボット回転したときに中央電気コネクタの１つに結合され、第２のセグメントが第２の位置にあり第２のウィングが開放位置に対してピボット回転したときに別の１つの中央電気コネクタに結合される、第２のアセンブリに接続された第２の頂部電気コネクタ。
【請求項２１】  下記のものをさらに有する、請求項２０記載のキーボード；
第１のセグメントを第１のウィングに対して第１の位置および第２の位置に移動させるための、第１のアセンブリ内の第１の作動機構；ならびに
第２のセグメントを第２のウィングに対して第１の位置および第２の位置に移動させるための、第２のアセンブリ内の第２の作動機構。
【請求項２２】  プラットフォームに接続されており、中央電気コネクタを覆う位置の間で移動することができるシャッタをさらに有する、請求項２０記載のキーボード。
【請求項２３】  下記のものをさらに有する、請求項２０記載の拡張可能なキーボード：
第１のウィングにおける第１のセグメントが第１の位置にあるときに第１のウィングの第１の窓を通して露出され、第１のセグメントが第２の位置にあるときに第１のトラックの下方に隠される、第１のウィングにおける第１のセグメント上の第１のウィング電気コネクタ；および
第２のウィングにおける第２のセグメントが第１の位置にあるときに第２のウィングの第２の窓を通して露出され、第２のセグメントが第２の位置にあるときに第２のトラックの下方に隠される、第２のウィングにおける第２のセグメント上の第２のウィング電気コネクタ。
【請求項２４】  下記のものを有するパーソナル・コンピュータ：
キーボード・カバー；
複数の第１のキー列、コンピュータを操作する構成要素、１つまたは複数の中央コネクタ、およびプラットフォームを備え、ディスプレイ、第１の列のキー、および中央コネクタがそれぞれ、コンピュータを操作する構成要素に結合された中央キーボード・アセンブリ；ならびに
複数の第２のキー列を含む第１のセグメント、第１のウィング、および第１のコネクタを備え、第２の列のキーが第１のコネクタに結合された第１のアセンブリ；
プラットフォームの第１の軸の周りにピボット回転可能に接続された第１のウィング；
第１の軸を露出させ、第１のウィングを、第１のウィングの片側からプラットフォームの片側に沿って延びる第１の軸の周りでピボット回転できるようにする第１の位置と、第１の軸を覆い、第１のウィングが第１の軸の周りでピボット回転するのを実質的に妨げる第２の位置とに移動することができる、第２のキー列を含む第１のセグメントであって、中央キーボード・アセンブリ上の第１のキー列の一端が、第２のセグメント上の第２のキー列の一端と噛み合い、第１のコネクタを中央コネクタの１つに結合する、第１のウィングにスライド可能に接続された第１のセグメント。
【請求項２５】  下記のものをさらに有する、請求項２４記載のコンピュータ：
複数の第３のキー列を含む第２のセグメント、第２のウィング、および第２のコネクタを備え、第３の列のキーが第２のコネクタに結合された第２のアセンブリ；
プラットフォームの第２の軸の周りにピボット回転可能に接続された第２のウィング；
第２の軸を露出させ、第２のウィングを、第２のウィングの片側およびプラットフォームの別の側に沿って延びる第２の軸の周りでピボット回転できるようにする第１の位置と、第２の軸を覆い、第１のウィングが第２の軸の周りでピボット回転するのを実質的に妨げる第２の位置とに移動可能である、第３のキー列を含む第２のセグメントであって、中央キーボード・アセンブリ上の第１のキー列の別の端部が、第２のセグメント上の第３のキー列の一端と噛み合い、第２のコネクタを中央コネクタの１つに結合する、第２のウィングにスライド可能に接続された第２のセグメント。
【請求項２６】  下記のものをさらに有する、請求項２５記載のコンピュータ：
１つまたは複数の第１の構成要素に結合されており、第１のセグメントが第１の位置にあり第１のウィングが閉鎖位置に対してピボット回転したときに中央コネクタの１つに結合される、第１のアセンブリに接続された第１の頂部コネクタ；および
第２のアセンブリに接続された１つまたは複数の構成要素に結合されており、第１の頂部コネクタが、第２のセグメントが第１の位置にあり第２のウィングが閉鎖位置に対してピボット回転したときに中央コネクタの１つに結合される、第２のアセンブリに接続された第２の頂部コネクタ。
【請求項２７】  下記のことを特徴とする、請求項２６記載のコンピュータ：
第１の頂部コネクタが、第１のウィングの第１のセグメント上に配置されており、第１のセグメントが第１の位置にあるときに第１のウィングの窓を通して露出され、第１のセグメントが第２の位置にあるときに第１のトラックの下方に隠され；および
第２の頂部コネクタが、第２のウィングの第２のセグメント上に配置されており、第２のセグメントが第１の位置にあるときに第２のウィングの窓を通して露出され、第２のセグメントが第２の位置にあるときに第２のトラックの下方に隠される。
【請求項２８】  下記のものをさらに有する、請求項２５記載のコンピュータ：
第１のセグメントを第１のウィングに対して第１の位置および第２の位置に移動させるための、第１のアセンブリ内の第１の作動機構；および
第２のセグメントを第２のウィングに対して第１の位置および第２の位置に移動させるための、第２のアセンブリ内の第２の作動機構。
【請求項２９】  第１の軸に隣接してプラットフォームに接続された第１のシャッタと、第２の軸に隣接してプラットフォームに接続された第２のシャッタとをさらに備え、第１のシャッタおよび第２のシャッタが、中央コネクタを覆う位置と中央コネクタを露出させる位置との間で移動できる、請求項２５記載のコンピュータ。
【請求項３０】  キーボード・カバーにピボット回転可能に接続されており、中央キーボード・アセンブリの左縁部および右縁部ならびに第１および第２のアセンブリの左縁部および右縁部を覆う位置に移動することができるサイド・カバーをさらに有する、請求項２５記載のコンピュータ。